(57)【特許請求の範囲】
【請求項１】
少なくとも固有識別コードが記憶されて発行される記憶媒体と、
投入された貨幣を順次収納し貨幣が収納されるごとに貨幣の種類を読取るとともに、
発行した記憶媒体の固有識別コードを読取り、記憶媒体を発行する記憶媒体発行機と、
記憶媒体毎に固有識別コードを読取り、遊技機の遊技に使用する遊技媒体を貸出する遊技媒体貸出機と、
記憶媒体に関する金額情報に基づいて清算を行なう清算機と、
記憶媒体発行機、遊技媒体貸出機、清算機に接続され、記憶媒体毎に記憶媒体発行機、遊技媒体貸出機、清算機で使用された金額情報および管理情報が伝送され記憶される管理装置とを有し、
予め用意された、通常の遊技状況と異なるため異常と判断する条件と清算に係る記憶媒体の利用状況とを清算機による清算時に対比し、異常と判断すべき条件を充足する記憶媒体を検知したときは、警告をおこなうとともに、警告をされた記憶媒体の固有識別コードを照合することで、当該記憶媒体が発行される為に貨幣収納部に投入された貨幣の貨幣収納部内の位置と、記憶媒体発行機が複数である場合は警告をされた記憶媒体を発行した記憶媒体発行機と、を通知することを特徴とする偽貨幣検知システム。
【請求項２】
少なくとも固有識別コードが記憶されて発行される記憶媒体と、
投入された貨幣を順次収納し貨幣が収納されるごとに貨幣の種類を読取るとともに、
発行した記憶媒体の固有識別コードを読取り、記憶媒体を発行する記憶媒体発行機と、
記憶媒体発行機に接続され、記憶媒体毎に記憶媒体発行機で発行された金額情報および管理情報が伝送され記憶される管理装置とを有し、
固有識別情報の入力を受け付けて、記憶媒体を発行した記憶媒体発行機が複数である場合は発行機と、当該記憶媒体が発行される為に貨幣収納部に投入された貨幣の貨幣収納部内の位置と、を通知することを特徴とする偽貨幣検知システム。
【発明の詳細な説明】
【０００１】
【発明が属する技術分野】
この発明は、偽貨幣検知システムにかかる。詳細には、パチンコホールでの両替に使用可能な偽貨幣検知システムにかかる。
【０００２】
【従来の技術】
偽造紙幣を識別する紙幣読取装置は存在する。同装置では、両替される紙幣等事前に偽造紙幣か否かを判断することで、不正両替を検出しようとするものである。
【０００３】
【発明が解決しようとする課題】
しかしながら、偽造紙幣を識別可能なはずの券売機、両替機を通過したと見られる偽造紙幣が発見される。偽造紙幣の偽造の内容は様々で、偽造紙幣が発見されると捜査上の理由から最新の偽造紙幣の入手は困難であり、偽造紙幣を識別可能な紙幣読取装置をリアルタイムで製造することは困難である。また、偽造紙幣を識別可能な紙幣読取装置の効果を確認するには時間を要する。また、偽造される偽造紙幣を予め予想することは困難である。
そのため、パチンコホール等の両替者が被害の発生を事前に防止することは困難であった。偽造紙幣を識別する紙幣読取装置のみでは、不正両替の疑いのある貨幣を検出し被害発生を事前に防止することは困難である。
すなわち偽造紙幣を使用して、金額情報の記憶された磁気カード、ＩＣカード、ＩＣコイン等のプリペイドカード等の記憶媒体を購入し、購入した記憶媒体を清算して現金の返却を得る不正の疑いのある行為を防止することは困難である。
【０００４】
【課題を解決するための手段】
この発明は、
少なくとも固有識別コードが記憶されて発行される記憶媒体と、
記憶媒体毎に固有識別コードを読出して、遊技機の遊技に使用する遊技媒体を貸出する遊技媒体貸出機と、
記憶媒体に関する金額情報に基づいて清算を行なう清算機と、
遊技媒体貸出機、清算機に接続され、記憶媒体毎に遊技媒体貸出機、清算機で使用された金額情報および管理情報が伝送され記憶される管理装置とを有し、
予め用意された、通常の遊技状況と異なるため異常と判断する条件と清算に係る記憶媒体の利用状況とを、清算機による清算時に対比し、異常と判断すべき条件を充足する記憶媒体を検知したときは、警告をおこなうことを特徴とする偽貨幣検知システム、
を提供する。予め用意された、通常の遊技状況と異なるため異常と判断する条件と清算に係る記憶媒体の利用状況とを、清算機による清算時に対比し、異常と判断すべき条件を充足する記憶媒体を検知したときは、警告をおこなうことで偽造貨幣の疑いのある貨幣を特定し、同貨幣の使用者を特定する。
【０００５】
および、
少なくとも固有識別コードが記憶されて発行される記憶媒体と、
記憶媒体毎に固有識別コードを読出して、遊技機の遊技に使用する遊技媒体を貸出する遊技媒体貸出機と、
記憶媒体に関する金額情報に基づいて清算を行なう清算機と、
遊技媒体貸出機、清算機に接続され、記憶媒体毎に遊技媒体貸出機、清算機で使用された金額情報および管理情報が伝送され記憶される管理装置とを有し、
記憶媒体購入後、金額情報が減算されることなく清算される記憶媒体を、清算機による清算時に検知したときは、警告をおこなうことを特徴とする偽貨幣検知システム、
を提供する。そのため、記憶媒体購入後、金額情報が減算されることなく清算される記憶媒体を、清算機による清算時に検知することで偽造貨幣の疑いのある貨幣を特定し、同貨幣の使用者を特定する。
【０００６】
および、
少なくとも固有識別コードが記憶されて発行される記憶媒体と、
記憶媒体毎に固有識別コードを読出して、遊技機の遊技に使用する遊技媒体を貸出する遊技媒体貸出機と、
記憶媒体に関する金額情報に基づいて清算を行なう清算機と、
遊技媒体貸出機、清算機に接続され、記憶媒体毎に遊技媒体貸出機、清算機で使用された金額情報および管理情報が伝送され記憶される管理装置とを有し、
清算機による清算時に、記憶媒体購入後、金額情報がわずかに減算されて清算される記憶媒体を検知したときは、警告をおこなうことを特徴とする偽貨幣検知システム、
を提供する。そのため、清算機による清算時に、記憶媒体購入後、金額情報がわずかに減算されて清算される記憶媒体を検知することで偽造貨幣の疑いのある貨幣を特定し、同貨幣の使用者を特定する。
【０００７】
および、
少なくとも固有識別コードが記憶されて発行される記憶媒体と、
記憶媒体毎に固有識別コードを読出して、遊技機の遊技に使用する遊技媒体を貸出する遊技媒体貸出機と、
記憶媒体に関する金額情報に基づいて清算を行なう清算機と、
遊技媒体貸出機、清算機に接続され、記憶媒体毎に遊技媒体貸出機、清算機で使用された金額情報および管理情報が伝送され記憶される管理装置とを有し、
記憶媒体購入後所定時間内にて清算される記憶媒体を、清算機による清算時に、検知したときは、警告をおこなうことを特徴とする偽貨幣検知システム、
を提供する。そのため、記憶媒体購入後極めて短時間で清算される記憶媒体を、清算機による清算時に、検知することで偽造貨幣の疑いのある貨幣を特定し、同貨幣の使用者を特定する。
【０００８】
および、
少なくとも固有識別コードが記憶されて発行される記憶媒体と、
記憶媒体毎に固有識別コードを読出して、遊技機の遊技に使用する遊技媒体を貸出する遊技媒体貸出機と、
記憶媒体に関する金額情報に基づいて清算を行なう清算機と、
遊技媒体貸出機、清算機に接続され、記憶媒体毎に遊技媒体貸出機、清算機で使用された金額情報および管理情報が伝送され記憶される管理装置とを有し、
予め用意された、通常の遊技状況と異なるため異常と判断する複数の条件の中から少なくとも一つ選択し、選択された一つの条件又は選択された複数の組み合わせた条件と清算に係る記憶媒体の利用状況とを清算機による清算時に対比し、異常と判断すべき条件を充足する記憶媒体を検知したときは、警告をおこなうことを特徴とする偽貨幣検知システム、
を提供する。予め用意された、通常の遊技状況と異なるため異常と判断する複数の条件の中から選択し、選択された条件と清算に係る記憶媒体の利用状況とを清算機による清算時に対比するため、不正遊技者の予想を外し、学習を防止する。
【０００９】
および、
少なくとも固有識別コードが記憶されて発行される記憶媒体と、
投入された貨幣を順次収納し貨幣が収納されるごとに貨幣の種類を読取るとともに、
発行した記憶媒体の固有識別コードを読取り、記憶媒体を発行する記憶媒体発行機と、
記憶媒体毎に固有識別コードを読取り、遊技機の遊技に使用する遊技媒体を貸出する遊技媒体貸出機と、
記憶媒体に関する金額情報に基づいて清算を行なう清算機と、
記憶媒体発行機、遊技媒体貸出機、清算機に接続され、記憶媒体毎に記憶媒体発行機、遊技媒体貸出機、清算機で使用された金額情報および管理情報が伝送され記憶される管理装置とを有し、
予め用意された、通常の遊技状況と異なるため異常と判断する条件と清算に係る記憶媒体の利用状況とを清算機による清算時に対比し、異常と判断すべき条件を充足する記憶媒体を検知したときは、警告をおこなうとともに、警告をされた記憶媒体の固有識別コードを照合することで、当該記憶媒体が発行される為に貨幣収納部に投入された貨幣の貨幣収納部内の位置と、記憶媒体発行機が複数である場合は警告をされた記憶媒体を発行した記憶媒体発行機と、を通知することを特徴とする偽貨幣検知システム、
を提供する。予め用意された、通常の遊技状況と異なるため異常と判断する条件と清算に係る記憶媒体の利用状況とを清算機による清算時に対比し、異常と判断すべき条件を充足する記憶媒体を検知したときは、警告をおこなうとともに、警告をされた記憶媒体の固有識別コードを照合することで、警告をされた記憶媒体を発行した記憶媒体発行機および当該記憶媒体が発行される為に貨幣収納部に投入された貨幣の貨幣収納部内の位置を通知するため、異常検知の精度を向上することが可能である。
【００１０】
および、
少なくとも固有識別コードが記憶されて発行される記憶媒体と、
投入された貨幣を順次収納し貨幣が収納されるごとに貨幣の種類を読取るとともに、
発行した記憶媒体の固有識別コードを読取り、記憶媒体を発行する記憶媒体発行機と、
記憶媒体発行機に接続され、記憶媒体毎に記憶媒体発行機で発行された金額情報および管理情報が伝送され記憶される管理装置とを有し、
固有識別情報の入力を受け付けて、記憶媒体を発行した記憶媒体発行機が複数である場合は発行機と、当該記憶媒体が発行される為に貨幣収納部に投入された貨幣の貨幣収納部内の位置と、を通知することを特徴とする偽貨幣検知システム、
を提供する。固有識別情報の入力を受け付けて、記憶媒体を発行した記憶媒体発行機が複数である場合は発行機と、当該記憶媒体が発行される為に貨幣収納部に投入された貨幣の貨幣収納部内の位置と、を通知するため挙動不審者がいたとき、カードの固有識別コードから行動を確認することが可能である。
【００１１】
【発明の実施の形態】
この発明の第１実施例の実施の形態の使用状態の概念図をあらわす図１、図２、図２の一部詳細図をあらわす図３、図４、実施の形態にかかる管理情報をあらわす図５、第２実施例の概念図をあらわす図６にしたがって説明する。
【００１２】
図１〜図５に図示する第１実施例において、１１は管理装置、２１は清算機、３１は遊技媒体貸出機、４１は貨幣読取装置、５１は記憶媒体発行機である。清算機２１、遊技媒体貸出機３１、記憶媒体発行機５１は管理装置１１とネットワークで接続される。遊技媒体貸機３１には、貨幣読取装置４１が接続される。
図６に図示する第２実施例では、貨幣読取装置４１は、遊技媒体貸出機３１に内蔵される。
【００１３】
Ａは記憶媒体である。記憶媒体Ａは、金額情報の記憶される磁気カード、ＩＣカード、ＩＣコイン等のプリペイドカード等からなる。記憶媒体Ａは、カード発券機、台間玉貸機又は台間メダル貸機等の記憶媒体発行機５１から発行される。記憶媒体Ａには、固有識別コード、金額情報および管理情報が記憶される。
金額情報管理情報は、管理装置１１で記憶させ、記憶媒体Ａには固有識別コードのみが記憶させてもよい。
【００１４】
記憶媒体発行機５１では、記憶媒体Ａを発行する。記憶媒体発行機５１では、発行された記憶媒体Ａの固有識別コード、当入金額カードに記憶されたカード金額に関する金額情報管理情報が管理装置１１に伝送される。
【００１５】
貨幣読取装置４１は、この実施例では紙幣読取装置からなる。
貨幣読取装置４１では、１万円は１万円札のブースに送られ挿入順に積層される。５千円札も同様に、５千円札のブースに送られ挿入順に積層される。
紙幣が投入されるに従い  紙幣読取装置４１で読取った金額の範囲で記憶媒体発行機５１から記憶媒体Ａを発行させる。
【００１６】
遊技媒体貸機３１は、この実施の形態では、遊技機で遊技するのに必要なパチンコ玉を貸し出す台間玉貸機あるいはパチスロ機用メダルを貸出す台間メダル貸機である。
遊技媒体貸出機３１では、パチンコ玉、メダル等の遊技媒体を貸出すにあたり、投入された記憶媒体Ａ毎に固有識別コードを読出して、遊技機の遊技に使用する遊技媒体を貸出し、管理情報金額情報を管理装置１１に伝送する。
遊技媒体貸出機３１では、記憶媒体Ａを発行してもよい。
【００１７】
清算機２１では、遊技終了後、遊技者は、記憶媒体Ａに残金額情報が存在する場合に、清算機２１に構成される記憶媒体リーダライタに記憶媒体Ａを挿入する。すると残金額を返却する。
記憶媒体Ａに記憶されるあるいは、当該記憶媒体Ａに関する管理情報金額情報として、管理装置１１に記憶される金額情報に基づいて清算を行なう。管理情報金額情報は、管理装置１１に伝送する。
【００１８】
管理装置１１は、この実施例ではホールコンピュータである。管理装置１１は、記憶媒体発行機５１、遊技媒体貸出機３１、清算機２１にネットワークで接続され、記憶媒体Ａ毎に記憶媒体発行機５１、遊技媒体貸出機３１、清算機２１で使用された金額情報および管理情報が伝送され記憶される。
尚、管理装置１１は、ホールコンピュータ以外に、カード管理コンピュータなど、清算機２１、遊技媒体貸出機３１、記憶媒体発行機５１とネットワークを介して接続されたコンピュータであれば本発明に属する。つまり例えばカード管理コンピュータなどの他のコンピュータがホールコンピュータとメーカが異なる場合、遊技媒体貸出機３１が遊技機のアウト玉センサ、セーフ玉センサよりの入力を受けて勝敗等の遊技情報を記録できる構成とすることが望ましい。もちろん他のコンピュータはホールコンピュータとネットワークを介してこれら上記遊技情報を共有するようにしてもよい。
管理装置１１では、遊技媒体固有識別コード毎に金額情報および時刻情報等の管理情報が記録される。管理情報としては、記憶媒体の購入時間、購入金額、遊技媒体貸出機からの貸出時間、貸出金額等がある。図５に図示されるように、遊技媒体Ａ毎に付される固有識別コード（カード識別コード）毎に、当入金額、遊技媒体Ａであるカード金額、カード発行時刻が記憶されディスプレイ画面上に表示することが可能である。
記憶媒体Ａには、金額情報および管理情報が記憶されるが、金額情報管理情報は、管理装置１１で記憶させ、記憶媒体Ａには固有識別コードのみが記憶させてもよい。
その場合は、記憶媒体Ａに記憶される固有識別コードから、管理装置１１に記憶される金額情報および管理情報が検索される。
金額情報管理情報は、管理装置１１で記憶させ、記憶媒体Ａには更に同一情報を記憶させてもよい。その場合は、二重管理により安全を保証する。
すなわち管理情報は、管理装置に記憶されても、記憶媒体に固有識別コードとともに記憶されてもよい。
【００１９】
管理装置１１では、予め用意された、通常の遊技状況と異なるため異常と判断する条件と清算に係る記憶媒体の利用状況とを、清算機による清算時に対比し、異常と判断すべき条件を充足する記憶媒体を検知したときは、警告をおこなう。
そのため、偽造貨幣の疑いのある貨幣を特定し、同貨幣の使用者を特定する。
通常の遊技状況と異なるため異常と判断する条件には、
（１）記憶媒体購入後、金額情報が減算されることなく清算される記憶媒体
（２）清算機による清算時に、記憶媒体購入後、金額情報がわずかに減算されて清算される記憶媒体
（３）記憶媒体購入後極めて短時間で清算される記憶媒体
がある。
台間玉貸機等の遊技媒体貸出機３１では、１ボタンで５００円分の遊技媒体を貸出す。即ち、１ボタンで５００円分記憶媒体から使用され、遊技媒体を貸出す場合の最低貸出金額は５００円である。
遊技機のうち、パチンコゲーム機では、大当たりの場合１，８００発〜５，０００発玉出しする。その間ほぼ１０分間は要する。大当たりした玉を、記憶媒体に記入するには約１０分要する。
遊技媒体の発行から、２０分以内に清算するのは尋常ではない。また、最低貸出金額で清算するのも尋常ではない。
特に、２０分以内に全く使用されていない記憶媒体が清算されたり、最低貸出金額あるいは最低貸出金額の２倍の金額のみ貸玉に使用され清算されるのは尋常ではない。
これらの場合、清算機はアラームを発して現金の返却はおこなわない。
【００２０】
そこで、遊技者が例えば１０，０００円の偽造紙幣を使用して記憶媒体発行機５１に内蔵されたあるいは、隣接して設置された紙幣読取装置４１に投入した場合、通常であれば紙幣読取装置４１は偽造紙幣を認識し、読取りエラーとする。しかしながら、紙幣読取装置４１で偽造紙幣を偽造でない真札として読み取った場合は記憶媒体Ａを発行することがあり得る。
記憶媒体発行機５１では、記憶媒体Ａに固有識別コードを記録させるとともに、金額情報時刻情報等の管理情報を記憶媒体Ａに記憶させる。
更に、ネットワークで接続された管理装置１１に対して、記憶媒体の固有識別コード毎の金額情報あるいは時刻情報等の管理情報を伝送する。
【００２１】
遊技者が得た金額情報の記憶された記憶媒体Ａを、金額情報が減算されていない未使用状態のまま、清算機２１の記憶媒体リーダライタに挿入する場合、記憶媒体Ａには、１０，０００円の金額情報が記憶されており、通常であれば、１０，０００円の現金が返却される。
しかしながら、管理装置１１では通常の遊技状況と異なるため異常と判断されるため、現金は返却されない。同時に清算機２１ではアラームで警告がされる。
【００２２】
また、遊技者が得た金額情報が記憶された記憶媒体Ａを使用してわずかに遊技はするものの、設定時間以内に記憶媒体Ａを清算機２１に挿入して現金を返却する場合、通常であれば例えば１，０００円を使用していたとすれば９，０００円の現金が返却される。
しかし、最低貸出金額で清算するのは尋常ではない。そこで、この場合も、管理装置１１では通常の遊技状況と異なるため異常と判断されるため、警告がされるとともに、現金は返却されない。
遊技媒体の発行から、２０分以内に清算するのは尋常ではない。そこで、この場合も、清算機２１では警告がされるとともに、現金は返却されない。
【００２３】
清算機２１で読取った記憶媒体Ａの固有識別コードを認識すると、その旨の情報を受領した管理情報１１ではどの記憶媒体発行機５１で発行した記憶媒体Ａであるかを記憶された固有識別コードをもとに検索し判断し、速やかに通知する。通知を受領した従業員は速やかに紙幣読取装置４１内部に設けられ紙幣を貯留する紙幣収納部を開放し偽造紙幣を回収する。
清算機２１がアラームとなるときは、管理装置１１でもアラームを発するようにしてもよい。
従業員は、該当する遊技者を待たせ、別の従業員に、紙幣収納部を開放させ偽造紙幣を回収させる。このようにすることで、偽造紙幣を使用した遊技者を特定することが可能となる。また、遊技場は被害を受けることなく偽造紙幣を回収することが可能となる。
【００２４】
図５で図示されるように、これらの経過は、管理情報についてのディスプレイに表示される。図５において、連番は通算の記憶媒体Ａの番号である。カード識別コードは、記憶媒体Ａにそれぞれ振られた固有識別コードである。ＡＢＣ１２３４５６７８、ＤＥＦ２３４５６７８９、ＧＨＩ３４５６７８９０をいう。投入金額とは、紙幣読取装置４１に遊技者が投入された紙幣の各札の種類を順次あらわす。カード金額とは、紙幣読取装置４１で読取られた範囲で、記憶媒体発行機５１から発行された記憶媒体Ａに記憶された金額をいう。カード発行時刻とは、記憶媒体Ａが発行された時刻をいう。これら情報は管理装置１１に伝送され記憶される。
固有識別コードを照合することで、ＧＨＩ３４５６７８９０が偽造紙幣ではないかと確認され、ディスプレイ上でマーキングされる。
【００２５】
次に、第３実施例を構成の概念図を図示する第７図、同一部拡大概念図をあらわす図８、第９図、同帳票の一部を図示する第１０図、ディスプレイの一例を図示する図１１、フロー図をあらわす図１２、図１３にしたがって説明する。
第３実施例は、説明する以外は第１実施例、第２実施例とほぼ同様に構成作用効果からなる。１１は管理装置、２１は清算機、５１は記憶媒体発行機、６１は無線装置、７１は遊技機である。清算機２１、遊技媒体貸出機３１、記憶媒体発行機５１は管理装置１１とネットワークで接続される。無線装置６１は、管理装置１１に接続される。
【００２６】
すなわち、第３実施例では、管理装置１１で、予め用意された、通常の遊技状況と異なるため異常と判断する複数の条件の中から選択し、選択された条件と清算に係る記憶媒体Ａの利用状況とを清算機２１による清算時に対比し、異常と判断すべき条件を充足する記憶媒体Ａを検知したときは、警告をおこなう。そのため、不正遊技者の予想を外し、学習を防止する。
あるいは、第３実施例では、管理装置１１で、予め用意された、通常の遊技状況と異なるため異常と判断する条件を組み合わせ、組み合わされた条件と清算に係る記憶媒体Ａの利用状況とを清算機２１による清算時に、対比し、異常と判断すべき条件を充足する記憶媒体Ａを検知したときは、警告をおこなう。そのため、異常検知の精度を向上することが可能である。
あるいは、第３実施例では、管理装置１１で、予め用意された、通常の遊技状況と異なるため異常と判断する条件と清算に係る記憶媒体Ａの利用状況とを清算機２１による清算時に、対比し、異常と判断すべき条件を充足する記憶媒体Ａを検知したときは、警告をおこなうとともに、警告をされた記憶媒体Ａの固有識別コードを照合することで、警告をされた記憶媒体Ａを発行した記憶媒体発行機５１を求め、当該記憶媒体発行機５１を通知する。そのため、異常検知の精度を向上することが可能である。
あるいは、第３実施例では、管理装置１１で、予め用意された、通常の遊技状況と異なるため異常と判断する条件と清算に係る記憶媒体Ａの利用状況とを清算機２１による清算時に対比し、異常と判断すべき条件を充足する記憶媒体Ａを検知したときは、警告をおこなうとともに、警告をされた記憶媒体Ａの固有識別コードを照合することで、警告をされた記憶媒体Ａを発行した記憶媒体発行機５１および当該記憶媒体Ａが発行される為に貨幣収納部に投入された貨幣の貨幣収納部内の位置を通知する。そのため、異常検知の精度を向上することが可能である。
あるいは、第３実施例では、管理装置１１で、予め用意された、通常の遊技状況と異なるため異常と判断する条件と清算に係る記憶媒体の利用状況とを清算機による清算時に対比し、異常と判断すべき条件を充足する記憶媒体を検知したときは、警告をおこなうとともに、警告をされた記憶媒体の固有識別コードを照合することで、警告をされた記憶媒体を発行した記憶媒体発行機および当該記憶媒体が発行される為に貨幣収納部に投入された貨幣の貨幣収納部内の位置を通知するため、異常検知の精度を向上することが可能であるとともに、記憶媒体発行機による記憶媒体の発行を停止するため、収納される貨幣の位置がずれることはない。
【００２７】
通常の遊技状況と異なるため利用状況を異常と判断する条件としては下記のものが考えられる。
（１）記憶媒体が未使用である場合。
（２）玉貸し回数が所定値未満であること。例えば１回玉貸しを受て止めている場合。
（３）所定値以上の残額がある場合。例えば最低貸出額である５００円のみ使用の場合。
（４）発券から所定時間内に清算を行なっている場合。例えば５分以内〜１５分以内の場合。即ち大当たりの場合１０分以上はかかる。
（５）玉計数していない場合。
（６）大当たり回数が所定値未満の場合。例えば大当たりが０回の場合。
（７）遊技時間が所定値未満の場合。
（８）貯玉状況が所定値未満の場合。例えば、貯玉状況が０である場合。
（９）勝敗の絶対値が所定値以内の場合。
これらの条件を単独であるいは、ＯＲ条件あるいＡＮＤ条件として組み合わせた複数の関数で使用して、検知する。
あるいは、周期的に、またはランダムにこれらの条件のなかから使用する条件選択して複数の関数を変更する。
その結果不正遊技者の予想を外し、学習を防止することが可能となる。
【００２８】
図１２、図１３にしたがって説明する。
１
遊技者は、例えば１０，０００円の偽造紙幣を使用して記憶媒体発行機５１の紙幣投入口に投入する。即ち、記憶媒体発行機５１に内蔵されたあるいは近接して設置された紙幣読取装置４１に投入する。
紙幣読取装置４１では、偽造紙幣を読取りエラーとなる。
S1 :紙幣読取機は、投入された１０ ，０００ 円を識別する。
S2：通常であれば、紙幣読取装置４１では、偽造紙幣を読取りエラーとなる。
S3：紙幣を返却する。
しかし、偽造紙幣を１０ ，０００ 円と認識することがある。
S5:そして、プリペイドカードである記憶媒体Ａ（磁気カードやＩＣ カード、或いはＩＣ コイン等のプリペイドカード）を発行する。
S4:ところで、記憶媒体発行機５１は、識別された入金金種毎に収納する収納庫が異なり、入金順に並んでその収納庫に収納される。
S6：その際、記憶媒体発行機５１の内部に印刷機を備えたタイプは、記憶媒体Ａ発行の度にカードＩＤである固有識別コードと入金日時と入金金種を印刷する。
【００２９】
２
S5：記憶媒体発行機５１は、記憶媒体Ａに固有識別コードを記録する。
S5：更に、記憶媒体Ａに金額情報或いは時刻情報等の管理情報を記録する。そして、遊技客にプリペイドカードである記憶媒体Ａを発行する。
S7:更に、ネットワーク接続された管理装置１１に対して、記憶媒体固有識別コード毎の金額情報或いは時刻情報等の管理情報を送信する。
SS1：管理装置１１においても、これら記憶媒体固有識別コード毎の金額情報或いは時刻情報等の管理情報を記録する。この管理情報は、プリペイドカードである記憶媒体Ａ、管理装置１１を含めたネットワーク上の少なくとも一つに記録するようにすればよい。
【００３０】
３
記憶媒体発行機５１から発行された記憶媒体Ａは遊技者が持ち運ぶ。
S8:記憶媒体Ａは、遊技者によって遊技機７１の隣のＣＲユニット、若しくはサンドに挿入され、利用状況の情報として、大当り回数、スタート回数、遊技時間、勝敗｛（アウト＜発射玉数＞−セーフ＜供給玉数＞）｝のうち少なくとも一方が記録される。
玉数でなく、発射玉数分の消費金額１玉４円、供給玉数分の金額１玉2.5円、出玉率などを記録する。その他下記のようなパラメータのいずれかをもちいてもよい。遊技者が遊技した履歴が判れば「利用状況」である。ＣＲユニット、サンドは、遊技機７１からの通常管理装置１１であるホールコンピュータに接続する遊技情報（ここでは利用状況の１つ）信号を横取りする。
【００３１】
一般にホールコンピュータで用いられるパラメータとしては以下のものがある。
出玉率＝セーフ（入賞獲得玉）/アウト（発射玉数）
機械割数＝（売上玉±差玉）/売上玉（2.5円で14割がよい）
景品割数＝景品玉/売上玉
原価割数＝景品玉×原価率/売上玉
ベース＝発射１００発−１００発中吸引玉数（42程度がよい）
BO＝特賞以外の平均アウト玉数（特賞間隔）
TO＝特賞１回当りの平均アウト玉数
TY＝特賞１回当りの平均差玉数
S＝スタート回数（アウト１０００個：10分当り）
TS＝特賞確率（特賞発生までの平均スタート回数）
貯玉勝敗＝出玉額−消費金額
差玉勝敗＝全玉貯玉額−消費金額
Bサ＝特賞迄に遊技客が打ち込んだ差玉
客滞率＝Bサ×１００/売上玉（1回交換制を１００として遊技時間延長割合）
誤差玉＝（売上玉±差玉）−景品玉
BY＝１分間の有効スタート以外の払出個数｝
また、計数機で計数した結果、貯玉状況として記録してもよい。これも遊技者が遊技した履歴であり、「利用状況」である。
【００３２】
４
遊技者は偽造紙幣を使用して正規紙幣を入手しようとする場合、遊技者は、金額情報の記録された記憶媒体Ａを、未使用（S10の一つ：金額情報が減算されていない状態）のまま清算機２１のカード挿入口＝記憶媒体リーダライタに挿入する。
記憶媒体Ａには、１０ ，０００ 円の金額情報が記録されている。通常であれば、S11：１０ ，０００ 円の現金が返却される。
しかS10の一つ：記憶媒体Ａの金額情報が減算されていないことを認識して、S12清算機２１を
S13アラーム（従業員への報知）として現金を返却しない。
その他の報知（アラーム（従業員への報知）して現金を返却させない）条件S10としては、
（１）未使用のままである
という条件を含め、
（２）玉貸し回数が所定値未満
（３）カード残高が所定値以上
（４）発券から所定時間内に清算
（５）玉計数していない場合
（６）大当り回数が所定値未満
（７）遊技時間が所定値未満
（８）貯玉状況が所定値未満
（９）勝敗の絶対値が所定値以内
がある。
更に、これら上記諸条件は、１乃至複数の上記の条件を設定可能であり、ＯＲ、ＡＮＤ条件を組み合わせた１乃至複数の関数であることが好ましく、更により好ましくは、ホールがこれらの関数を任意に設定できるようにするとよい（SS2）。
【００３３】
SS2：このようにすると、ホールが夫々の状況に応じて自由に設定可能である。
すなわち、土日は比較的長く遊技する客が多いので、比較的長めの時間を設定するとよい。
駅前のような待ち合わせ、電車待ちの客が多いところでは、比較的短めの時間設定をするようにしてもよい。
また、カード残額が９，５００円あり、玉計数し、貯玉が所定値以上ある場合、５００円の貸し玉で確変大当りを引いた客であり、このような客に対しては、最初の入金金種が偽札か否かをチェックする必要はないとホール側が考えるかもしれない。
また、似たような条件であるが、毎日変えることで、偽札使いが、条件を学習するのを防止できるという効果もある。また、この条件を、予め周期的に繰り返すとか、ランダムに選択して、いちいちホール側が毎日変更する手間を防止するようにするとホール側の手間が省けて便利である。
【００３４】
５
また、遊技者が得た金額情報の記録された記憶媒体Ａを使用して、わずかに遊技はするものの、設定時間内に記憶媒体Ａを清算機２１に挿入して現金を返却しようとする場合、通常であれば、
S11例えば１ ，０００ 円を使用したとすれば、９ ，０００ 円の現金が返却される。しかし本発明では、例えば、
S10：設定時間内にプリペイドカードである記憶媒体Ａを清算機２１に挿入して現金を返却しようとしていることを認識して、清算機２１を
S13アラーム（従業員への報知）として
S12現金を返却しない。
前述の、記憶媒体Ａ金額情報が減算されていないことを認識して、清算機２１をS13アラーム（従業員への報知）として
S12現金を返却しない場合や、
S10の一つ：設定時間内にプリペイドカードである記憶媒体Ａを清算機２１に挿入して現金を返却しようとしていることを認識して、清算機２１をアラーム（従業員への報知）として現金を返却しない、場合には、管理装置１１でもアラーム（従業員への報知）を発することができる。
【００３５】
S10：同様に、その他の報知（アラーム（従業員への報知）して現金を返却させない）条件としては、
（１）未使用のままである
という条件を含め、
（２）玉貸し回数が所定値未満。
（３）カード残高が所定値以上。
（４）発券から所定時間内に清算。
（５）玉計数していない場合。
（６）大当り回数が所定値未満。
（７）遊技時間が所定値未満。
（８）貯玉状況が所定値未満。
（９）勝敗の絶対値が所定値以内。
これら上記諸条件は、１乃至複数の上記１−１〜１−９の条件を設定可能であり、ＯＲ、ＡＮＤ条件を組み合わせた１乃至複数の関数（S10、SS2）。
【００３６】
６
清算機２１で読み取ったプリペイドカードである記憶媒体Ａの固有識別コードを認識すると、管理装置１１ではどの記憶媒体発行機５１で発行した記憶媒体Ａであるか、を速やかに通知する（S14、SS3、SS4、SS5、SS6）。
その際、
S15：清算機のディスプレイには、
S「従業員をお呼びください」あるいは、「しばらくお待ちください」の表示を行う。前者の表示は、偽札犯人を逃がすことを目的とする。後者の表示は、偽札犯人をまたせることを目的とする。
この文言についてはデフォルトで「従業員をお呼びください。」であるが、ホールが自由に設定することもできる。
S16  その表示画面にエラーコードを表示してもよいし、内部の印刷機にエラーコード（他にこのカードＩＤより発券した発券機と入金した偽札の疑いのある金種の位置特定情報）を印字してもよい。エラーコードは、清算機の前面パネルの裏面に表示してあり、この場合のエラーコードの意味は、偽札使用の疑い、であり、発券機に「入金された金種を確認してください」の表示がでる。
SS6：通知を受けた従業員は、速やかに該当する記憶媒体発行機５１の紙幣収納庫をセキュリティ管理された鍵を使用して開放し、記憶媒体発行機５１から偽造紙幣を回収する。
【００３７】
この時、
SS6下記の《管理情報》の帳票を、管理装置１１、カード発券機である記憶媒体発行機５１、清算機２１の印刷機、又はディスプレイにて打ち出し、
SS4：カード識別コードから従業員が発券機が複数ある場合はその特定情報として発券機Ｎｏ．２とか、上から何番目かを見出し、カード発券機のところへ行って偽造紙幣を探しだす。
この他、
SS4：帳票を見てカード識別コードから従業員が上から何番目かを見出すのは間違えが生じやすいため、発券機が複数ある場合には発券機特定情報も含め、上から何番目かをネットワーク上のいずれか、
SS4：例えば管理装置側でカード識別コードから計算して、
SS6：発券機である記憶媒体発行機５１、清算機２１、管理装置１１、その他のネットワーク上の機器の印刷機、ディスプレイでの表示、或いは無線装置を介し、従業員の音声案内すると手間いらずで好ましい。
尚、帳票の特定すべき偽造の疑いのある紙幣は、下記の例を含め、何らかのマーキングによって特定する。このマーキングとは、記号付与、字または背景の色付け、字又は背景の点滅の少なくとも一つが考えられるが、偽造の疑いのある紙幣が特定できればマーキングである。
このような特定は、カード清算時に利用状況に応じて報知して清算動作をストップした際に、カードＩＤから偽造紙幣の位置がわかる形で行うのが通例であるが、単に挙動不審の人間がいて、警察を呼び、その挙動不審の人間のもっていたプリペイドカードのＩＤを手入力して
SS7、発券機である記憶媒体発行機５１と、紙幣の位置を特定できるようにするのが好ましい。
【００３８】
SS5：その特定時に、カード発券機の発券作動、入金受付の少なくとも一方を停止させ、偽造紙幣の位置が特定時からずれないようにする。このようにすると、従業員が偽札の位置を間違わなくて済む。
S21その際、若干のタイミングのズレにより、入金を受付て収納してしまった場合は、
S24：カードの発券を行い、カード発券機である記憶媒体発行機５１や清算機２１のディスプレーと印刷機
S17、S22、無線装置６１を介したインカムによる音声案内で、
偽札の疑いのある紙幣の位置が更新された旨を従業員に通知する（SS6、SS9）。
そして、一連の偽札確認作業終了時に、上記記憶媒体発行機５１の停止の解除手段を設ける。解除手段としては、例えば、３分程度の所定時間で自動解除、発券機の発券中断解除ボタン、リスタートカードの挿入などがあげられるが、発券の中断が解除されればいかなる方法をもちいてもよい（S23）。
図１１に図示されるディスプレイ又は印字された紙の管理情報から、図１０に図示される連番No.258 が偽造紙幣であることを確認する。
【００３９】
７
従業員は該当する遊技者を待たせ、別の従業員に、該当するカード発券機である記憶媒体発行機５１の紙幣収納庫をセキュリティ管理された鍵を使用して開放し、記憶媒体発行機５１から偽造紙幣を回収する。
このようにすれば、偽造紙幣を使用した遊技客を特定することができる。また、店舗は被害を受けず偽造紙幣を回収することができる。
【００４０】
【発明の効果】
したがってこの発明は、偽造貨幣を使用して、金額情報の記憶された磁気カード、ＩＣカード、ＩＣコイン等の記憶媒体を購入させてしまった場合でも、購入した記憶媒体を清算して現金の返却を得る不正の疑いのある行為を防止する。更に、不正両替の疑いのある貨幣を検出し被害発生を事前に防止することが可能となる。
【図面の簡単な説明】
【図１】この発明の実施の形態の第１実施例の使用状態の概念図
【図２】この発明の実施の形態の第１実施例の使用状態の概念図
【図３】この発明の実施の形態の第１実施例の使用状態の一部詳細概念図
【図４】この発明の実施の形態の第１実施例の使用状態の一部詳細概念図
【図５】この発明の実施の形態の第１実施例の使用状態の管理情報図
【図６】この発明の実施の形態の第２実施例の使用状態の概念図
【図７】この発明の実施の形態の第３実施例の概念図
【図８】この発明の実施の形態の第３実施例の一部拡大概念図
【図９】この発明の実施の形態の第３実施例の一部拡大概念図
【図１０】この発明の実施の形態の第３実施例の帳票の一部図
【図１１】この発明の実施の形態の第３実施例のディスプレイの図
【図１２】この発明の実施の形態の第３実施例のフロー図
【図１３】この発明の実施の形態の第３実施例のフロー図
【符号の説明】
１１    管理装置
２１    清算機
３１    遊技媒体貸出機
４１    貨幣読取装置
５１    記憶媒体発行機
Ａ      記憶媒体
【図１】
0004210072.tif 000002
【図２】
0004210072.tif 000003
【図３】
0004210072.tif 000004
【図４】
0004210072.tif 000005
【図５】
0004210072.tif 000006
【図６】
0004210072.tif 000007
【図７】
0004210072.tif 000008
【図８】
0004210072.tif 000009
【図９】
0004210072.tif 000010
【図１０】
0004210072.tif 000011
【図１１】
0004210072.tif 000012
【図１２】
0004210072.tif 000013
【図１３】
0004210072.tif 000014